【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
手術用電動ツール（３３０）のパワー発生部（３４４）にＡＣ駆動信号を供給する制御コンソール（５０）であって、
ＤＣ電圧が印加されるセンタータップと両端部とを有する一次巻線（２５２）と、前記ツールのパワー発生部（３４４）に印加されるＡＣ駆動信号が誘発される二次巻線（２５８）とを備えた変圧器（２５０）と、
前記一次巻線にかかるＡＣ電圧を発生させるために、前記変圧器の一次巻線（２５２）の両端部を接地状態ないし開状態にする回路（１１５）と
を有し、
前記変圧器の一次巻線（２５２）の両端部を接地ないし開状態にする回路は、線形増幅器（１１５）であり、
前記線形増幅器は、
前記一次巻線の各端部と接地との間の能動抵抗器として機能する複数のトランジスタ（１６２、１８４）と、
前記変圧器の一次巻線（２５２）の両端部における電圧が印加され、前記変圧器の一次巻線の両端部における電圧の差に基づく信号をフィードバック信号として生成する差動増幅器（２４０）と、
外部制御信号と前記フィードバック信号とに基づいて、前記一次巻線（２５２）にかかる電圧を設定するために前記能動抵抗器の抵抗を設定する制御回路と
を有する、制御コンソール。
【請求項２】
前記線形増幅器（１１５）は更に、前記差動増幅器（２４０）からの前記フィードバック信号を前記外部制御信号と組み合わせて、前記トランジスタ（１６２、１８４）の抵抗を調節する信号を生成するものである、請求項１に記載の制御コンソール（５０）。
【請求項３】
前記線形増幅器は、組み合わせられた前記フィードバック信号及び前記外部制御信号が印加される整流器及びスプリッタ（１３８）を有し、前記整流器及びスプリッタは、前記組み合わせられた信号を正の成分と負の成分に分けるものであり、前記組み合わせられた信号の負の成分は前記トランジスタのうちの第１のトランジスタ（１６２）の抵抗を設定するために用いられ、前記組み合わせられた信号の正の成分は、前記トランジスタのうちの第２のトランジスタ（１８４）の抵抗を設定するために用いられる、請求項２に記載の制御コンソール（５０）。
【請求項４】
前記線形増幅器（１１５）は、
前記フィードバック信号及び前記外部制御信号に基づいて、前記変圧器の一次巻線（２５２）の第１の端部に接続される前記トランジスタのうちの第１のトランジスタ（１６２）の抵抗を設定する電流を生成する第１の電圧制御型電流源（１５６）と、
前記フィードバック信号及び前記外部制御信号に基づいて、前記変圧器の一次巻線（２５２）の第２の端部に接続される前記トランジスタのうちの第２のトランジスタ（１８４）の抵抗を設定する電流を生成する第２の電圧制御型電流源（１７４）と
を有する、請求項１〜３のいずれか一項に記載の制御コンソール（５０）。
【請求項５】
前記線形増幅器（１１５）はスプリッタ（１３８）を有し、前記スプリッタは、正の成分及び負の成分を有するフィードバック調整済み外部制御信号を受信し、前記フィードバック調整済み外部制御信号の負の成分を前記第１の電圧制御型電流源（１５６）への制御信号として提供し、前記フィードバック調整済み外部制御信号の正の成分を前記第２の電圧制御型電流源（１７４）への制御信号として提供するものである、請求項４に記載の制御コンソール（５０）。
【請求項６】
前記変圧器の一次巻線（２５２）のセンタータップにＤＣ可変電圧を供給する電源（８４）と、
前記トランジスタ（１６２、１８４）にかかる電圧を監視し、前記トランジスタにかかる電圧を表す信号を生成するヘッドルームモニタ（１９０）と、
前記ヘッドルームモニタから、前記トランジスタ（１６２、１８４）にかかる電圧を表す信号を受信し、前記電源から供給されるＤＣ電圧を調節するために前記電源に接続され、前記トランジスタにかかる電圧に基づいて、前記電源から前記変圧器の一次巻線（２５２）に供給されるＤＣ電圧のレベルを設定する電源コントローラ（３２４）と
を更に有する請求項１〜５のいずれか一項に記載の制御コンソール（５０）。
【請求項７】
前記ヘッドルームモニタ（１９０）は、入力として、
前記トランジスタがＦＥＴである場合に、前記ＦＥＴのドレイン及びソースにおける電圧を受信し、
前記トランジスタがバイポーラトランジスタである場合に、前記バイポーラトランジスタのコレクタ及びエミッタにおける電圧を受信するものである、請求項６に記載の制御コンソール（５０）。
【請求項８】
前記ＤＣ電源（８４）は、
ＤＣ定電圧供給源（８６）と、
前記ＤＣ定電圧供給源（８６）からＤＣ電圧の印加を受けるブーストコンバータ（８８）と
を有し、
前記ＤＣ電源（８４）は、前記電源コントローラ（３２４）からの制御信号に応じて、前記変圧器の一次巻線（２５２）のセンタータップにＤＣ可変電圧を印加する、請求項６又は７に記載の制御コンソール（５０）。
【請求項９】
前記能動抵抗器として機能する前記線形増幅器（１１５）の前記トランジスタがＭＯＳＦＥＴ（１６２、１８４）である、請求項１〜８のいずれか一項に記載の制御コンソール（５０）。
【請求項１０】
前記変圧器（２５０）は、超音波式手術用ツール（３３０）の少なくとも１つのドライバ（３４４）へ前記ＡＣ駆動信号を出力するものである、請求項１〜９のいずれか一項に記載の制御コンソール（５０）。
【請求項１１】
前記線形増幅器（１１５）は、前記フィードバック信号及び前記外部制御信号とは無関係に、前記トランジスタの各々（１６２、１８４）が絶えず飽和モードとなるように、前記トランジスタの各々に信号を印加するものである、請求項１〜１０のいずれか一項に記載の制御コンソール（５０）。
【請求項１２】
手術用電動ツール（３３０）のパワー発生部（３４４）にＡＣ駆動信号を供給する制御コンソール（５０）であって、
ＤＣ電圧が印加されるセンタータップと両端部とを有する一次巻線（２５２）と、前記ツールのパワー発生部（３４４）に印加される前記ＡＣ駆動信号が誘発される二次巻線（２５８）とを備えた変圧器（２５０）と、
前記変圧器の一次巻線の端部と接地とに接続され、前記一次巻線にかかるＡＣ電圧が生じるよう選択的にターンオン又はターンオフされる複数のトランジスタ（１６２、１８４）と、
前記変圧器の一次巻線のセンタータップに印加されるＤＣ電圧のレベルを調節するＤＣ可変電源アセンブリと
を備え、
複数の前記トランジスタ（１６２、１８４）は能動抵抗器として動作し、
前記変圧器の一次巻線（２５２）の端部に接続される複数の前記トランジスタ（１６２、１８４）の端部にヘッドルームモニタ（１９０）が接続され、前記ヘッドルームモニタは、複数の前記トランジスタの端部における電圧に基づいて、複数の前記トランジスタのヘッドルーム電圧を表すヘッドルーム信号を生成するものであり、
前記ＤＣ可変電源は、前記ヘッドルームモニタから前記ヘッドルーム信号の印加を受けるプロセッサ（８０）を有し、前記可変電源は、前記ヘッドルーム信号に基づいて、複数の前記トランジスタに飽和電圧が印加されるよう前記変圧器の一次巻線のセンタータップに印加されるＤＣ電圧のレベルを設定するものである、制御コンソール。
【請求項１３】
前記ヘッドルームモニタ（１９０）は更に、前記トランジスタの両端部における電圧を入力として受信し、前記トランジスタの第１の端部における電圧と、前記トランジスタの前記第１の端部とは反対の第２の端部における電圧との差に基づいて、ヘッドルーム電圧を表す信号を生成するものである、請求項１２に記載の制御コンソール（５０）。
【請求項１４】
前記変圧器の一次巻線にかかる電圧のレベルを調節するために、前記トランジスタに印加される電流を調節するコントローラ（８０、１１５）を更に有し、
前記ＤＣ可変電源プロセッサ（８０、３１２）は更に、前記変圧器の一次巻線（２５２）にかかることになる電圧を表す信号を前記コントローラから受信し、前記変圧器の一次巻線にかかることになる電圧の変化に基づいて、前記変圧器の一次巻線のセンタータップに印加されるＤＣ電圧のレベルを設定するものである、請求項１２又は１３に記載の制御コンソール。
【請求項１５】
前記ＤＣ可変電源プロセッサ（８０、３１２）は更に、前記変圧器の一次巻線（２５２）にかかることになる電圧が減少予定であることを前記コントローラ（８０、１１５）からの信号が示すときに、前記変圧器の一次巻線（２５２）にかかる電圧が減少することになるレートよりも遅いレートで、前記変圧器の一次巻線のセンタータップに印加されるＤＣ電圧のレベルを下げるものである、請求項１４に記載の制御コンソール。
【請求項１６】
前記トランジスタがＦＥＴ（１６２、１８４）であり、
前記ヘッドルームモニタ（１９０）は、前記トランジスタの２つのドレイン電圧のうちの低い方と、前記トランジスタのソースにおける２つのピーク電圧のうちの高い方との差に基づいて、ヘッドルーム電圧を表す信号を生成するものである、請求項１２〜１５のいずれか一項に記載の制御コンソール（５０）。
【請求項１７】
トランジスタ（１６２、１８４）と前記変圧器の一次巻線（２５２）との各接続部における電圧が逆バイアスのダイオード（１９６、１９８）に印加されるように前記ヘッドルームモニタが構成され、前記ダイオードのアノードが互いに接続され、前記アノード間の接続部に定電圧が印加され、前記ダイオードのアノード間の接続部における電圧は、前記トランジスタと前記変圧器の一次巻線との間における２つの電圧のうちの低い方であり、該電圧が前記トランジスタの第１の端部における電圧として用いられる、請求項１２〜１６のいずれか一項に記載の制御コンソール（５０）。
【請求項１８】
前記トランジスタ（１６２、１８４）の、前記変圧器の一次巻線から見て遠位にある端部における電圧が順バイアスの複数のダイオード（４７０）に印加されるように前記ヘッドルームモニタが構成され、前記複数のダイオードのカソードが接続部にて接続され、前記複数のダイオード（４７０）の該接続部における電圧は、前記トランジスタの第１の端部における電圧として用いられる、請求項１２〜１６のいずれか一項に記載の制御コンソール（５０）。
【請求項１９】
前記変圧器（２５０）は、超音波式手術用ツール（３３０）の少なくとも１つのドライバ（３４４）へ前記ＡＣ駆動信号を出力するものである、請求項１２〜１８のいずれか一項に記載の制御コンソール（５０）。
【請求項２０】
超音波式手術用ハンドピースツール（３３０）のドライバ（３４４）にＡＣ駆動信号を供給する制御コンソール（５０）であって、
ＤＣ電圧が印加されるセンタータップと両端部とを有する一次巻線（２５２）と、前記ドライバ（３４４）に印加される前記ＡＣ駆動信号が誘発される二次巻線（２５８）とを備えた変圧器（２５０）と、
前記変圧器の一次巻線の端部と接地とに接続され、前記一次巻線にかかるＡＣ電圧が発生するよう選択的にターンオン又はターンオフされる複数のトランジスタ（１６２、１８４）と
を有し、
制御アセンブリ（８０、１１５）は、前記トランジスタが能動抵抗器として機能するように、前記トランジスタ（１６２、１８４）のベース又はゲートに印加される信号を変え、
インダクタ（１８７）の一端が、複数の前記トランジスタのうちの第１のトランジスタ（１６２）と前記変圧器の一次巻線（２５２）の第１の端部との接続部に接続され、前記インダクタの他端が、複数の前記トランジスタのうちの第２のトランジスタ（１８４）と前記変圧器の一次巻線の第２の端部との接続部に接続され、
前記インダクタが前記ハンドピースのドライバ（３４４）と並列であるとした場合に、回路が前記ハンドピースの共振周波数の５０％以内の共振周波数を有することになるようなインダクタンスを前記インダクタが有する、制御コンソール。
【請求項２１】
手術用電動ツール（３３０）のパワー発生部（３４４）にＡＣ駆動信号を供給する制御コンソール（５０）であって、
ＤＣ電圧が印加されるセンタータップと両端部とを有する一次巻線（２５２）と、前記ツールのパワー発生部（３４４）に印加される前記ＡＣ駆動信号が誘発される二次巻線（２５８）とを備えた変圧器（２５０）と、
前記変圧器の一次巻線の端部と接地とに接続され、前記一次巻線にかかるＡＣ電圧が発生するよう選択的にターンオン又はターンオフされる複数のトランジスタ（１６２、１８４）と、
前記変圧器の一次巻線のセンタータップに印加されるＤＣ電圧のレベルを調節する可変ＤＣ電源アセンブリと
を備え、
前記変圧器の一次巻線（２５２）の端部に接続される複数の前記トランジスタ（１６２、１８４）の端部にヘッドルームモニタ（１９０）が接続され、前記ヘッドルームモニタは、複数の前記トランジスタの端部における電圧に基づいて、複数の前記トランジスタにおけるヘッドルーム電圧を表す信号を生成するものであり、
制御回路（８０、１１５）は、複数の前記トランジスタが能動抵抗器として機能するように複数の前記トランジスタに可変電流を印加し、前記制御回路は、前記ヘッドルームモニタからヘッドルーム信号を受信し、複数の前記トランジスタに印加される電流を前記ヘッドルーム信号に基づいて調節し、前記変圧器の一次巻線に生じる電圧を選択的に制限するものである、制御コンソール。
【請求項２２】
前記ヘッドルームモニタ（１９０）は更に、前記トランジスタの両端における電圧を入力として受信し、前記トランジスタの第１の端部における電圧と、前記トランジスタの前記第１の端部とは反対の第２の端部における電圧との差に基づいて、ヘッドルーム電圧を表す信号を生成するものである、請求項２１に記載の制御コンソール（５０）。
【請求項２３】
前記トランジスタがＦＥＴ（１６２、１８４）であり、
前記ヘッドルームモニタ（１９０）は、前記トランジスタの２つのドレイン電圧のうちの低い方と、前記トランジスタのソースにおける２つのピーク電圧のうちの高い方との差に基づいて、ヘッドルーム電圧を表す信号を生成するものである、請求項２１又は２２に記載の制御コンソール（５０）。
【請求項２４】
トランジスタ（１６２、１８４）と前記変圧器の一次巻線（２５２）との各接続部における電圧が逆バイアスのダイオード（１９６、１９８）に印加されるように前記ヘッドルームモニタが構成され、前記ダイオードのアノードが互いに接続され、前記ダイオードのアノード間の接続部における電圧が、前記トランジスタと前記変圧器の一次巻線との間における２つの電圧のうちの低い方となるように、前記アノード間の接続部に定電圧が印加され、この電圧は、前記トランジスタの第１の端部における電圧として用いられる、請求項２１〜２３のいずれか一項に記載の制御コンソール（５０）。
【請求項２５】
前記トランジスタ（１６２、１８４）の、前記変圧器の一次巻線から見て遠位にある端部における電圧が順バイアスの複数のダイオード（４７０）に印加されるように前記ヘッドルームモニタが構成され、前記複数のダイオードのカソードが接続部にて接続され、前記複数のダイオード（４７０）の該接続部における電圧は、前記トランジスタの第１の端部における電圧として用いられる、請求項２１〜２４のいずれか一項に記載の制御コンソール（５０）。
【請求項２６】
前記変圧器（２５０）は、超音波式手術用ツール（３３０）の少なくとも１つのドライバ（３４４）へ前記ＡＣ駆動信号を出力するものである、請求項２１〜２５のいずれか一項に記載の制御コンソール（５０）。